(57)【要約】【課題】内フタの清掃が容易なサニタリーボックスを提供すること。【解決手段】本考案のサニタリーボックス（１）は、上方が開口する箱状のボックス本体（２）と、投入口部（３３）を有し、ボックス本体（２）に被さる上フタ（３）と、投入口部（３３）を閉める閉位置と投入口部を開ける開位置との間を回動可能に設けられる蓋部材（４）と、生理用ナプキンを受けるための汚れ防止シート（７）と、蓋部材（４）と一体に設けられる内フタ（６）であって、内フタ（６）上に汚れ防止シート（７）があり、蓋部材（４）が開位置にある際に投入口部（３３）から外部に汚れ防止シート（７）を露出させる内フタ（６）と、を備える。本考案によれば、廃棄される生理用ナプキンによって汚れ防止シート（７）が汚れた場合には、汚れ防止シート（７）を例えば取り換えることで、簡単に内フタ（６）を清潔に保つことができる。【選択図】図１
0003204284.tif 000002
【実用新案登録請求の範囲】
【請求項１】
上方が開口する箱状のボックス本体と、
投入口部を有し、前記ボックス本体に被さる上フタと、
前記投入口部を閉める閉位置と前記投入口部を開ける開位置との間を回動可能に設けられる蓋部材と、
生理用ナプキンを受けるための汚れ防止シートと、
前記蓋部材と一体に設けられる内フタであって、該内フタ上に前記汚れ防止シートがあり、前記蓋部材が前記開位置にある際に前記投入口部から外部に前記汚れ防止シートを露出させる内フタと、
を備えることを特徴とするサニタリーボックス。
【請求項２】
請求項１に記載のサニタリーボックスにおいて、
前記汚れ防止シートの基材には、前記汚れ防止シートを前記内フタから剥離可能とする粘着層が積層されていることを特徴とするサニタリーボックス。
【請求項３】
上方が開口する箱状のボックス本体と、投入口部を有し、前記ボックス本体の上部に被さる上フタと、前記投入口部を閉める閉位置と前記投入口部を開ける開位置との間を回動可能な蓋部材と、前記蓋部材と一体に設けられ、前記蓋部材が前記開位置にある際に前記投入口部から外部に露出する内フタと、を備えるサニタリーボックスに用いられる汚れ防止シートであって、
基材上に積層されて前記汚れ防止シートを前記内フタから剥離可能とする粘着層を備え、前記内フタ上に貼られることを特徴とする汚れ防止シート。
【考案の詳細な説明】
【技術分野】
【０００１】
本考案は、サニタリーボックスおよび汚れ防止シートに関する。
【背景技術】
【０００２】
使用済みの生理用ナプキンをサニタリーボックスに捨てる際に、サニタリーボックス内の使用済みの生理用ナプキンが見えると、利用者が不快な思いをするおそれがある。そこで、生理用ナプキンをサニタリーボックス内に投入する際に、内部が極力見えないように工夫されたサニタリーボックスがある（例えば、特許文献１）。
【０００３】
このサニタリーボックスでは、ボックス本体の上フタに投入口部がある。通常時は、投入口部を蓋部材が覆っている。生理用ナプキンの投入時には、蓋部材が上方に回動し、投入口部を開く。この際、蓋部材と一体の内フタが上方に回動して投入口部に露出する。内フタは、利用者が投入する使用済みの生理用ナプキンを受ける。
【０００４】
利用者の生理用ナプキンの投入後に蓋部材は下方へ回動し、投入口部を閉塞する。蓋部材の下方への回動とともに、内フタも下方へ回動し、内フタ上にある生理用ナプキンをサニタリーボックス内へ落下させる。このサニタリーボックスでは、生理用ナプキンの投入時に、内フタがサニタリーボックス内への利用者の視線を遮るので、利用者からサニタリーボックス内を見えにくくできる。
【先行技術文献】
【特許文献】
【０００５】
【特許文献１】特開平１１−２９２２０８号公報
【考案の概要】
【考案が解決しようとする課題】
【０００６】
しかしながら、このようなサニタリーボックスでは、内フタは、利用者が投入する生理用ナプキンを受けるので汚れやすい。そのため、このようなサニタリーボックスでは、内フタを洗浄したり拭いたりして清掃する必要があり、清掃に手間がかかるという問題がある。
【０００７】
本考案は、内フタの清掃が容易なサニタリーボックスを提供することを目的とする。
【課題を解決するための手段】
【０００８】
本考案のサニタリーボックスは、上方が開口する箱状のボックス本体と、投入口部を有し、前記ボックス本体に被さる上フタと、前記投入口部を閉める閉位置と前記投入口部を開ける開位置との間を回動可能に設けられる蓋部材と、生理用ナプキンを受けるための汚れ防止シートと、前記蓋部材と一体に設けられる内フタであって、該内フタ上に前記汚れ防止シートがあり、前記蓋部材が前記開位置にある際に前記投入口部から外部に前記汚れ防止シートを露出させる内フタと、を備えることを特徴とする。
【０００９】
本考案の汚れ防止シートは、上方が開口する箱状のボックス本体と、投入口部を有し、前記ボックス本体の上部に被さる上フタと、前記投入口部を閉める閉位置と前記投入口部を開ける開位置との間を回動可能な蓋部材と、前記蓋部材と一体に設けられ、前記蓋部材が前記開位置にある際に前記投入口部から外部に露出する内フタと、を備えるサニタリーボックスに用いられる汚れ防止シートであって、基材上に積層されて前記汚れ防止シートを前記内フタから剥離可能とする粘着層を備え、前記内フタ上に貼られることを特徴とする。
【００１０】
本考案によれば、内フタ上に汚れ防止シートがあるので、サニタリーボックスに投入される生理用ナプキンが直接内フタに接触することを抑制できる。そして、本考案によれば、廃棄される生理用ナプキンによって汚れ防止シートが汚れた場合には、汚れ防止シートを例えば取り換えることで、簡単に内フタを清潔に保つことができる。
【００１１】
本考案では、前記汚れ防止シートの基材には、前記汚れ防止シートを前記内フタから剥離可能とする粘着層が積層されていることが好ましい。
【００１２】
本考案によれば、汚れ防止シートの基材に粘着層が積層されているので、汚れ防止シートを内フタから容易に剥離できる。
【図面の簡単な説明】
【００１３】
【図１】サニタリーボックスの斜視図である。
【図２】図１のサニタリーボックスのＡ−Ａ線断面図である。
【図３】汚れ防止シートを示す斜視図である。
【図４】汚れ防止シートの構成を示す断面図である。
【図５】図１のサニタリーボックスのＢ−Ｂ線断面図である。
【考案を実施するための形態】
【００１４】
以下、実施形態について図面を参照しつつ説明する。
図１は、サニタリーボックス１の斜視図である。
サニタリーボックス１は、ボックス本体２、上フタ３、蓋部材４、側板５１、５２、内フタ６、および汚れ防止シート７を備える。
【００１５】
ボックス本体２は、上方が開口し、図１の左右方向に長い箱状である。
【００１６】
上フタ３は、下方が開口する箱状であり、ボックス本体２の上部に被さる。上フタ３の上面３１の中央部には、周囲から１段下がった段差部３２がある。段差部３２には、投入口部３３がある。
【００１７】
蓋部材４の基端部には不図示の軸部がある。該軸部は、上フタ３に回動可能に保持される。蓋部材４は、投入口部３３を閉める図５の閉位置と投入口部３３を開ける図１の開位置との間を回動可能に設けられる。
【００１８】
側板５１，５２は、蓋部材４の下面４１の幅方向両側（図１の左右両側）に立設される。一方の側板５１にはギヤ５３が取り付けられる。
【００１９】
図２は、図１のサニタリーボックス１のＡ−Ａ線断面図である。
側板５１，５２は、蓋部材４の下面４１と内フタ６の上面６１とに繋がる。
【００２０】
内フタ６は、基端部が蓋部材４の基端部と繋がり、蓋部材４とＬ字状に繋がる。内フタ６は、このように蓋部材４と一体に設けられる。内フタ６上に汚れ防止シート７がある。内フタ６は、蓋部材４が図２の開位置にある際に、投入口部３３から外部に汚れ防止シート７を露出させる。
【００２１】
ボックス本体２の上縁には、専用袋９１が掛けられる。専用袋９１は、使用済みの生理用ナプキンを収容する。
【００２２】
図３は、汚れ防止シート７を示す斜視図である。
汚れ防止シート７は、内フタ６上に貼り付けられ、利用者が投入する生理用ナプキンを受ける。汚れ防止シート７の大きさは、奥行き方向（図３の紙面奥側および手前側方向）および幅方向（図３の左右方向）に亘って内フタ６をおおよそ覆う大きさである。汚れ防止シート７の表面は例えば黒色であり、これにより、内フタ６上が生理用ナプキンの投入場所であることが利用者に直感的にわかるようになっている。
【００２３】
図４は、汚れ防止シート７の構成を示す断面図である。
汚れ防止シート７の基材７１の裏面には、汚れ防止シート７を内フタ６から剥離可能とする粘着層７２が積層されている。これにより、汚れ防止シート７が汚れた際に、汚れ防止シート７を内フタ６から容易に剥離できる。
【００２４】
図５は、図１のサニタリーボックス１のＢ−Ｂ線断面図である。
上フタ３内における幅方向（図５の左右方向）の一方側には、ギヤ９２、モータ９３、センサ９４、電池ボックス９５、制御基板９６が設置され、他方側には、消臭剤９７が設置される。消臭剤９７は、除菌、消臭、芳香効果のある薬剤が袋に収容されたものであり、上フタ３の下面３４に両面テープによって貼り付けられている。
【００２５】
ギヤ９２は、側板５１のギヤ５３と噛み合う。
モータ９３は、ギヤ９２を駆動する。
センサ９４は、上フタ３の上方であって、該センサ９４の上方に使用者の手がかざされると、該手を検知し、制御基板９６に検出信号を出力する。
電池ボックス９５は、電池を収容し、モータ９３、センサ９４、および制御基板９６に電力を供給する。
【００２６】
利用者は、使用済みの生理用ナプキンを廃棄する際に、まず、センサ９４の上方に手をかざす。制御基板９６は、センサ９４により利用者の手を検知すると、モータ９３を駆動して蓋部材４を上方に回動させ、図１に示すように投入口部３３を開く。これにより、蓋部材４と一体の内フタ６も上方に回動し、汚れ防止シート７を投入口部３３から露出させる。利用者は、汚れ防止シート７に向けて生理用ナプキンを投入する。この際、サニタリーボックス１内への利用者の視線は、側板５１、５２、および内フタ６（汚れ防止シート７）により遮られるので、利用者からサニタリーボックス１内を見えにくくできる。
【００２７】
制御基板９６は、例えば５秒経過すると、モータ９３を駆動して蓋部材４を下方に回動させ、投入口部３３を閉める。蓋部材４の下方への回動とともに内フタ６も下方へ回動し、生理用ナプキンをボックス本体２内へ落下させる。このように、本実施形態では、蓋部材４および内フタ６を自動で開閉するので、利用者は、サニタリーボックス１に直接触れることなく生理用ナプキンを投入できる。そのため、本実施形態では、蓋部材４等への接触に起因する利用者間の交差感染を予防できる。
【００２８】
本実施形態では、内フタ６上に貼り換え可能な汚れ防止シート７を設けたので、投入される生理用ナプキンによって汚れ防止シート７が汚れた場合、汚れ防止シート７を貼り換えることで、簡単に内フタ６を清潔に保つことができる。
【符号の説明】
【００２９】
１…サニタリーボックス、２…ボックス本体、３…上フタ、４…蓋部材、６…内フタ、７…汚れ防止シート、３３…投入口部、７１…基材、７２…粘着層。
【図１】
0003204284.tif 000003
【図２】
0003204284.tif 000004
【図３】
0003204284.tif 000005
【図４】
0003204284.tif 000006
【図５】
0003204284.tif 000007